【手続補正書】
【提出日】平成24年4月11日(2012.4.11)
【手続補正１】
【補正対象書類名】明細書
【補正対象項目名】発明の名称
【補正方法】変更
【補正の内容】
【発明の名称】局側装置、集線部、通信システムおよび帯域割り当て方法
【手続補正２】
【補正対象書類名】明細書
【補正対象項目名】０００１
【補正方法】変更
【補正の内容】
【０００１】
本発明は、局側装置、集線部、通信システムおよび帯域割り当て方法に関し、特に、複数の通信回線にそれぞれ接続された１または複数の宅側装置と通信を行ない、各通信回線における帯域を各宅側装置に割り当てる局側装置、集線部、通信システムおよび帯域割り当て方法に関する。
【手続補正３】
【補正対象書類名】明細書
【補正対象項目名】００１１
【補正方法】変更
【補正の内容】
【００１１】
この発明は、上述の課題を解決するためになされたもので、その目的は、通信信号の輻輳を防ぎ、かつ帯域割り当て処理時間の増大を防ぐことにより、ネットワーク全体の効率を向上させることが可能な局側装置、集線部、通信システムおよび帯域割り当て方法を提供することである。
【手続補正４】
【補正対象書類名】特許請求の範囲
【補正対象項目名】全文
【補正方法】変更
【補正の内容】
【特許請求の範囲】
【請求項１】
各々が、通信回線に対応して設けられ、対応の前記通信回線に接続された１または複数の宅側装置と通信信号を送受信するための複数の通信部と、
前記複数の通信部経由で各前記宅側装置から受信した前記通信信号を上位ネットワークへ送信するための集線部とを備え、
各前記通信部は、
対応の前記通信回線に接続された前記１または複数の宅側装置から対応の前記通信回線における帯域の割り当て要求を受けるための受信部と、
前記受信部経由で前記１または複数の宅側装置から受けた前記割り当て要求をまとめた総合要求情報を作成して前記集線部に通知するための回線制御部とを含み、
前記集線部は、
前記各回線制御部から通知された各前記総合要求情報、および前記通信信号を送信するために前記上位ネットワークにおいて使用可能な帯域に基づいて、各前記通信回線における帯域の割り当て量を示す総合割り当て情報を作成して前記各回線制御部に通知するための集線制御部を含み、
前記各回線制御部は、通知された前記総合割り当て情報および対応の前記通信回線に接続された前記１または複数の宅側装置から受けた前記割り当て要求に基づいて対応の前記通信回線における帯域を対応の前記通信回線に接続された前記１または複数の宅側装置に割り当てる、局側装置。
【請求項２】
各々が、通信回線に対応して設けられ、対応の前記通信回線に接続された１または複数の宅側装置と通信信号を送受信するための複数の通信部経由で、各前記宅側装置から受信した前記通信信号を上位ネットワークへ送信するための集線部であって、
前記通信回線に接続された前記１または複数の宅側装置からの前記通信回線における帯域の割り当て要求をまとめた総合要求情報を各前記通信部から受けるための第１の制御部と、
各前記総合要求情報、および前記通信信号を送信するために前記上位ネットワークにおいて使用可能な帯域に基づいて、各前記通信回線における帯域の割り当て量を示す総合割り当て情報を作成して前記各通信部に通知するための第２の制御部とを備える、集線部。
【請求項３】
複数の宅側装置と、
各々が、通信回線に対応して設けられ、対応の前記通信回線に接続された１または複数の前記宅側装置と通信信号を送受信するための複数の通信部と、
前記複数の通信部経由で各前記宅側装置から受信した前記通信信号を上位ネットワークへ送信するための集線部とを備え、
各前記通信部は、
対応の前記通信回線に接続された前記１または複数の宅側装置から対応の前記通信回線における帯域の割り当て要求を受けるための受信部と、
前記受信部経由で前記１または複数の宅側装置から受けた前記割り当て要求をまとめた総合要求情報を作成して前記集線部に通知するための回線制御部とを含み、
前記集線部は、
前記各回線制御部から通知された各前記総合要求情報、および前記通信信号を送信するために前記上位ネットワークにおいて使用可能な帯域に基づいて、各前記通信回線における帯域の割り当て量を示す総合割り当て情報を作成して前記各回線制御部に通知するための集線制御部を含み、
前記各回線制御部は、通知された前記総合割り当て情報および対応の前記通信回線に接続された前記１または複数の宅側装置から受けた前記割り当て要求に基づいて対応の前記通信回線における帯域を対応の前記通信回線に接続された前記１または複数の宅側装置に割り当てる、通信システム。
【請求項４】
各々が、通信回線に対応して設けられ、対応の前記通信回線に接続された１または複数の宅側装置と通信信号を送受信するための複数の通信部と、
前記複数の通信部経由で各前記宅側装置から受信した前記通信信号を上位ネットワークへ送信するための集線部とを備える局側装置における帯域割り当て方法であって、
前記各宅側装置からの各前記通信回線における帯域の割り当て要求を受けるステップと、
前記各宅側装置から受けた前記割り当て要求を前記通信回線ごとにまとめた複数の総合要求情報を作成して通知するステップと、
通知された各前記総合要求情報、および前記通信信号を送信するために前記上位ネットワークにおいて使用可能な帯域に基づいて、前記各通信回線における帯域の割り当て量を示す総合割り当て情報を作成して通知するステップと、
前記通信回線ごとに、通知された前記総合割り当て情報および前記通信回線に接続された前記１または複数の宅側装置から受けた前記割り当て要求に基づいて前記通信回線における帯域を前記通信回線に接続された前記１または複数の宅側装置に割り当てるステップとを含む、帯域割り当て方法。
【請求項５】
前記帯域割り当て方法は、さらに、
前記各宅側装置に前記割り当て要求の閾値を設定するステップを含み、
前記割り当て要求を受けるステップにおいては、前記閾値を上限とした前記各宅側装置からの前記割り当て要求を受ける、請求項４に記載の帯域割り当て方法。
【請求項６】
前記総合要求情報を通知するステップにおいては、前記閾値を上限としない前記各宅側装置からの第１の割り当て要求を前記通信回線ごとにまとめた複数の第１の総合要求情報と、前記閾値を上限とした前記各宅側装置からの第２の割り当て要求を前記通信回線ごとにまとめた複数の第２の総合要求情報とを作成し、
前記総合割り当て情報を通知するステップにおいては、各前記第１の総合要求情報が示す割り当て要求量、各前記第２の総合要求情報が示す割り当て要求量、および前記通信信号を送信するために前記上位ネットワークにおいて使用可能な帯域に基づいて前記総合割り当て情報を作成する、請求項５に記載の帯域割り当て方法。
【請求項７】
前記総合要求情報を通知するステップにおいては、前記局側装置において記憶された前記各宅側装置の最低保証帯域のうち、前記割り当て要求のあった前記宅側装置の前記最低保証帯域を前記通信回線ごとにまとめた帯域を前記総合要求情報として通知する、請求項４に記載の帯域割り当て方法。
【請求項８】
前記総合要求情報を通知するステップにおいては、前記最低保証帯域を上限としない前記各宅側装置からの第１の割り当て要求を前記通信回線ごとにまとめた複数の第１の総合要求情報と、前記割り当て要求のあった前記宅側装置の前記最低保証帯域を前記通信回線ごとにまとめた複数の第２の総合要求情報とを作成し、
前記総合割り当て情報を通知するステップにおいては、各前記第１の総合要求情報が示す割り当て要求量、各前記第２の総合要求情報が示す割り当て要求量、および前記通信信号を送信するために前記上位ネットワークにおいて使用可能な帯域に基づいて前記総合割り当て情報を作成する、請求項７に記載の帯域割り当て方法。
【請求項９】
前記総合要求情報を通知するステップにおいては、前記最低保証帯域を上限としない前記各宅側装置からの第１の割り当て要求を前記通信回線ごとにまとめた複数の第１の総合要求情報と、前記割り当て要求のあった前記宅側装置の前記最低保証帯域および前記第１の割り当て要求が示す割り当て要求量の小さい方を前記通信回線ごとにまとめた複数の第２の総合要求情報とを作成する、請求項８に記載の帯域割り当て方法。
【請求項１０】
前記総合割り当て情報を通知するステップにおいては、前記通信回線ごとの前記第１の総合要求情報が示す割り当て要求量および前記第２の総合要求情報が示す割り当て要求量の小さい方に基づいて前記各通信回線における帯域の割り当て量を算出し、前記通信信号を送信するために前記上位ネットワークにおいて使用可能な総帯域が、算出した前記各通信回線における帯域の割り当て量の総和に対して余る場合には、前記第１の総合要求情報が示す割り当て要求量が前記第２の総合要求情報が示す割り当て要求量よりも大きい前記通信回線である割り当て不足通信回線について算出した前記割り当て量に、前記総帯域の余りの全部または一部を加えて前記総合割り当て情報を作成する、請求項６、８および９のいずれかに記載の帯域割り当て方法。
【請求項１１】
前記総合割り当て情報を通知するステップにおいては、前記通信信号を送信するために前記上位ネットワークにおいて使用可能な総帯域が、算出した前記各通信回線における帯域の割り当て量の総和に対して余る場合であって前記割り当て不足通信回線が複数存在するときには、各前記割り当て不足通信回線について算出した前記割り当て量に、前記各割り当て不足通信回線の前記第２の総合要求情報が示す割り当て要求量の大小関係に基づいて前記総帯域の余りの全部または一部を前記割り当て不足通信回線ごとに分けた帯域を加え、前記総合割り当て情報を作成する、請求項１０に記載の帯域割り当て方法。
【請求項１２】
前記宅側装置に帯域を割り当てるステップにおいては、前記各通信回線のうちの少なくともいずれか１つについて、前記総合要求情報を通知してから所定時間経過するまでに前記総合割り当て情報が通知されない場合には、通知されなかった前記通信回線ごとに、過去の前記総合割り当て情報または所定値と、前記通信回線に接続された前記１または複数の宅側装置から受けた前記割り当て要求とに基づいて、前記通信回線における帯域を前記通信回線に接続された前記１または複数の宅側装置に割り当てる、請求項４から１１のいずれかに記載の帯域割り当て方法。
【請求項１３】
複数の宅側装置と、
各々が、通信回線に対応して設けられ、対応の前記通信回線に接続された１または複数の前記宅側装置と通信信号を送受信するための複数の通信部と、
前記複数の通信部経由で各前記宅側装置から受信した前記通信信号を上位ネットワークへ送信するための集線部とを備える通信システムにおける帯域割り当て方法であって、
前記集線部が、前記１または複数の宅側装置からの前記通信回線における帯域の割り当て要求をまとめた総合要求情報を各前記通信部から受けて、各前記通信回線における帯域の割り当て量を決定するステップと、
前記各通信部が、決定された対応の前記通信回線における前記割り当て量および前記対応の通信回線に接続された前記１または複数の宅側装置から受けた前記割り当て要求に基づいて、前記対応の通信回線における帯域を前記対応の通信回線に接続された前記１または複数の宅側装置に割り当てるステップと、
前記集線部が、前記各通信部による前記帯域の割り当て動作のタイミングを同期させるステップとを含む、帯域割り当て方法。
【請求項１４】
前記各通信回線における帯域の割り当て量を決定するステップにおいては、前記集線部は、使用を許可する前記帯域の量を前記通信部ごとに個別に決定する、請求項１３に記載の帯域割り当て方法。